(57)【要約】【課題】部品点数の削減を図ってコスト面で有利にできるとともにコンパクト化を図ることができる照明用昇降装置を提供する。【解決手段】照明用昇降装置１０は、電気供給を受けるための接点受部と、接点受部の近傍に機械的接続が可能な略穴形状の保持部２１を有する昇降体１１と、昇降体１１との電気的接続を可能にする接点部１７と、昇降体１１を機械的接続により保持するロック機構部１８と、昇降体１１をモータ駆動によってワイヤー１３を介して昇降させる装置を具備する本体１２と、を備え、昇降体１１は、本体１２に内蔵または一部露出して配置される。本体１２に設置される接点部１７とロック機構部１８とを一体に設けた。【選択図】図１
2010080077.tif 000002
【特許請求の範囲】
【請求項１】
電気供給を受けるための接点受部と、
前記接点受部の近傍に機械的接続が可能な略穴形状の保持部を有する昇降体と、
前記昇降体との電気的接続を可能にする接点部と、
前記昇降体を機械的接続により保持するロック機構部と、
前記昇降体をモータ駆動によってワイヤーを介して昇降させる装置を具備する本体と、
を備え、
前記昇降体は、前記本体に内蔵または一部露出して配置される照明用昇降装置であって、
前記本体に設置される前記接点部と前記ロック機構部とを一体に設けたことを特徴とする照明用昇降装置。
【請求項２】
前記接点部は、前記ロック機構部の前記昇降体側の先端付近に設置されたことを特徴とする請求項１記載の照明用昇降装置。
【請求項３】
前記ロック機構部は、ソレノイドによって可動することを特徴とする請求項１または２記載の照明用昇降装置。
【請求項４】
前記ロック機構部は、モータによって可動することを特徴とする請求項１または２記載の照明用昇降装置。
【請求項５】
前記ロック機構部は、前記昇降体の動作完了状態をマイクロスイッチにより検知することにより、前記接点部を導通または遮断することを特徴とする請求項１〜４のいずれか１項記載の照明用昇降装置。
【発明の詳細な説明】
【技術分野】
【０００１】
本発明は、例えばコンサートホールや体育館、コンベンションホール等の構造物の天井に取り付けられてワイヤーによって光源を内蔵した昇降体を昇降自在な照明用昇降装置に関し、特に昇降体を上昇位置でロックする照明用昇降装置に関する。
【背景技術】
【０００２】
従来の照明用昇降装置の一例として、昇降体を着脱自在に係止する係止片を備えたものが知られている（例えば、特許文献１参照）。
このような照明器具昇降装置では、係止片は、昇降体の係合時に、昇降体に設けられた係止軸により押し広げられ、また自重により垂下することにより係合される。
係止片は、昇降体の係合解除時に、解除片により押し広げられ、解除片を保持した状態を経て、解除片、係止軸が共に解除されるようにしている。
【０００３】
従来の照明用昇降装置の他の一例として、係止片と、通電接続装置と、が独立して設置されたものが知られている（例えば、特許文献２参照）。
このような照明器具昇降装置では、昇降体をロックする係止片が本体の上部両側に回転自在に設けられている。
【０００４】
従来の照明用昇降装置のさらに他の一例として、形状記憶合金製のばね式係止片を備えたものが知られている（例えば、特許文献３参照）。
このような照明器具昇降装置では、高所固定部(本体)と、昇降体と、を係止片で固定状態を保持し、ねじりコイルばねや形状記憶合金やソレノイド等で固定状態を解除するようにしている。
【０００５】
【特許文献１】特開２０００−２４７５８４号公報（図２、段落番号０００７）
【特許文献２】特開平９−９２０２４号公報（図１、段落番号００１６，００１８）
【特許文献３】特開平１０−２５８９９２号公報（図１６、段落番号００４３）
【発明の開示】
【発明が解決しようとする課題】
【０００６】
ところが、上記特許文献１、特許文献２および特許文献３に開示された照明用昇降装置では、いずれも、昇降体を、その上昇位置でロックするためのロック手段と、昇降体を移動させるための駆動源への通電切換え手段と、が別々に設けられている。そのため、部品点数の増大が避けられずにコスト面で不利になるとともに全体が大型化する虞がある。
【０００７】
加えて、係止手段と、通電切換え手段と、が上下に配置されているために、全体の高さ寸法が大きくなる虞がある。そのため、構造物の天井に大きなスペースを設けなければない。
【０００８】
本発明は、前述した要望を満たすためになされたもので、その目的は、部品点数の削減を図ってコスト面で有利にできるとともにコンパクト化を図ることができる照明用昇降装置を提供することにある。
【課題を解決するための手段】
【０００９】
本発明に係る照明用昇降装置は、電気供給を受けるための接点受部と、前記接点受部の近傍に機械的接続が可能な略穴形状の保持部を有する昇降体と、前記昇降体との電気的接続を可能にする接点部と、前記昇降体を機械的接続により保持するロック機構部と、前記昇降体をモータ駆動によってワイヤーを介して昇降させる装置を具備する本体と、を備え、前記昇降体は、前記本体に内蔵または一部露出して配置される照明用昇降装置であって、前記本体に設置される前記接点部と前記ロック機構部とを一体に設けたことを特徴とする。
【００１０】
本発明においては、昇降体への電気供給を行う接点部と、機械的接続により昇降体を保持するロック機構部と、を一体に設けたために、それらを別々に設けた従来のものと比べて、部品点数が少なくなるとともに、高さ寸法を含めて全体の外形が小さくなる。
よって、部品点数の削減を図ってコスト面で有利にできるとともにコンパクト化を図ることができる。
【００１１】
本発明に係る照明用昇降装置は、前記接点部は、前記ロック機構部の前記昇降体側の先端付近に設置されたことを特徴とする。
【００１２】
本発明においては、接点部をロック機構部の先端付近に配置することにより、ロック機構部が動作した後に、昇降体への通電を開始するようにできる。
よって、昇降不良やロック不良の検知を容易に行うことができる。
【００１３】
本発明に係る照明用昇降装置は、前記ロック機構部は、ソレノイドによって可動することを特徴とする。
【００１４】
本発明においては、ロック機構部をソレノイドにより可動させることによって、従来のような昇降体の昇降と連動した接点部の接触方式に比べ、接点部を俊敏に動作させることができる。
よって、接点間でのアークの発生を抑制して接点消耗を少なくできるとともに、接点部の小型化を図ることができる。
【００１５】
本発明に係る照明用昇降装置は、前記ロック機構部は、モータによって可動することを特徴とする。
【００１６】
本発明においては、ロック機構部をモータにより可動させることによって、例えば減速機構を介して離れた位置からロック機構部を動作させることができる。
よって、比較的発熱の大きいモータを離れた位置に配置することにより、他の部材への熱の影響を抑えることができる。
【００１７】
本発明に係る照明用昇降装置は、前記ロック機構部は、前記昇降体の動作完了状態をマイクロスイッチにより検知することにより、前記接点部を導通または遮断することを特徴とする。
【００１８】
本発明においては、昇降体の動作完了をマイクロスイッチにて検知することにより、昇降体の位置検出を簡単に確実に行える。
よって、ロック機構部の誤動作を防止して確実な作動を行うことができる。
【発明の効果】
【００１９】
本発明の照明用昇降装置によれば、本体に設置される接点部とロック機構部とを一体に設けた。
これにより、部品点数の削減を図ってコスト面で有利にできるとともにコンパクト化を図ることができるという効果を有する。
【発明を実施するための最良の形態】
【００２０】
以下、本発明の複数の実施形態に係る照明用昇降装置について、図面を参照して説明する。
【００２１】
（第１実施形態）
本発明の第１実施形態である照明用昇降装置１０は、昇降体１１と、ワイヤー１３を介して昇降体１１をリフトモータ１４の駆動によって昇降させるリフタ機構１５を具備する本体１２と、電気供給を受けるための接点受部である一対の固定側接点１６と、昇降体１１との電気的接続を可能な接点部である一対の可動側接点１７と、可動側接点１７を一体に備え昇降体１１を機械的接続により保持するロック機構部である一対のソレノイド１８と、を備える。
【００２２】
図１に示すように、昇降体１１は、反射板１９の内側に、不図示の照明器具を内装しており、反射板１９の上部に、四角形の筒状に形成された支持部材２０を固定している。
【００２３】
支持部材２０には、ワイヤー１３の中間部を掛止する不図示の滑車等を内蔵しており、その側部に略穴形状をなす一対の保持部２１を対向配置している。支持部材２０は、ワイヤー１３が引き出されることにより昇降体１１とともに下降し、これに反して、ワイヤー１３が巻き取られることにより昇降体１１とともに上昇する。
【００２４】
本体１２は、金属製の板部材を用いて、天板２２と、一対の側板２３と、上部中板２４と、下部中板２５と、から櫓形状に形成されている。本体１２は、不図示の埋込枠に埋設される。
【００２５】
天板２２には、リフトモータ１４と、巻き取りドラム２６を有するリフタ機構１５と、が組み付けられている。リフトモータ１４は、不図示の制御回路に電気的に接続され、不図示のモータ軸が巻き取りドラム２６に連結されている。巻き取りドラム２６には、ワイヤー１３の基端部が固定されている。
【００２６】
ワイヤー１３は、剛性を有する金属製や樹脂製のベルト等であって巻回可能な帯状に形成されている。ワイヤー１３は、その中間部が上部中板２４を貫通して昇降体１１側に固定されており、その先端部が上部中板２４に固定されている。
【００２７】
上部中板２４は、天板２２に平行に配置されており、その中央部にマイクロスイッチ２７を固定している。マイクロスイッチ２７は、不図示の接触子を上部中板２４の下面から下方に突出しているために、昇降体１１が最上昇位置、即ち、昇降体１１が埋込枠に入り込む位置まで上昇したときにオン切換えされ、昇降体１１が最上昇位置にないときにオフされる。
【００２８】
下部中板２５は、上部中板２４と同様に天板２１に平行に配置されており、その中央部に支持部材２０を挿通可能な支持部材孔２８を形成している。下部中板２５には、支持部材孔２８の周りにソレノイド１８をそれぞれ配置している。
【００２９】
ソレノイド１８は、電流の供給により発生する磁力によって出力移動する出力ロッド２９をソレノイドケース３０に収納しており、コイル部３１内に移動可能に収納されている動力発生ロッド３２を出力ロッド２９に連結している。主力ロッド２９は、最上昇位置まで上昇した昇降体１１における支持部材２０の保持部２１にそれぞれ挿入されることにより昇降体１１を本体１２に機械的に接続する。
【００３０】
図２にも示すように、昇降体１１の支持部材２０内には、中筒部材３３が収納されており、中筒部材３３の側部の対向位置に一対の固定側接点１６が固定されている。一対の固定側接点１６は、一対の電線３４を通じて昇降体１１内の照明器具にそれぞれ電気的に接続されている。中筒部材３３は、垂直方向に伸縮自在に組み合わされた複数の中筒子を用いても良い。
【００３１】
一対のソレノイド１８は、出力ロッド２９の先端部に可動側接点１７をそれぞれ固定している。可動側接点１７は一対の電線３５を通じて制御回路にそれぞれ電気的に接続されている。
【００３２】
機械的な接続により昇降体１１を保持するソレノイド１８と、昇降体１１への電気供給を行う可動側接点１７と、は一体に設けられて本体１２内において単一の水平面上に配置されている。
これにより、これらを別々に設けた従来のものと比べて、部品点数が少なくなるとともに、照明器具昇降装置１０の高さ寸法を含めて全体の外形が小さくなる。
【００３３】
一対のソレノイド１８は、昇降体１１が最上昇位置まで上昇したときにマイクロスイッチ２７がオン切換えされたことの論理に基づき制御回路より電流を供給される。これにより、出力ロッド２９を出力移動させ、支持部材２０の一対の保持部２１にそれぞれ挿入させた後に、可動側接点１７を固定側接点１６にそれぞれ接触させて、制御回路と昇降体１１内の照明器具との通電回路を形成する。
【００３４】
可動側接点１７は、ソレノイド１８の出力ロッド２９の先端部に一体に設けられている。
そのため、ソレノイド１８が動作した後に、昇降体１１内の照明器具への通電を開始できる。
【００３５】
次に、照明用昇降装置１０の動作について説明する。
【００３６】
照明器具の点検時期に、リフトモータ１４に正方向に電流を供給して駆動させ、巻き取りドラム２６を正方向に回転させる。これにより、ワイヤー１３が引き出されることにより昇降体１１が下降して本体１２から露出する。
【００３７】
照明器具の点検が終了した後に、リフトモータ１４に逆方向に電流を供給して駆動させ、巻き取りドラム２６を逆方向に回転させる。これにより、ワイヤー１３が巻き取られることにより昇降体１１が上昇する。
【００３８】
図３にも示すように、昇降体１１が、本体１２の下部中板２５における支持部材孔２８を通過して最上昇位置Ａ１まで上昇すると、マイクロスイッチ２７がオン切換えされることにより、制御回路からリフトモータ１４への通電がカットオフされる。これにより、昇降体１１は、ワイヤー１３の巻き取り停止に伴い、最上昇位置Ａ１に停止する。
【００３９】
図４にも示すように、このとき、ソレノイド１８は、マイクロスイッチ２７のオン切換えの論理に基づき制御回路より電流を供給される。これにより、出力ロッド２９を出力移動させる。
【００４０】
図５にも示すように、ソレノイド１８の出力ロッド２９は、支持部材２０の一対の保持部２１に挿通される。
これにより、昇降体１１は、ソレノイド１８の出力ロッド２９により、最上昇位置Ａ１に保持される。
【００４１】
図６にも示すように、ソレノイド１８の出力ロッド２９の出力移動により、可動側接点１７を固定側接点１６に接触させる。
これにより、昇降体１１の照明器具と制御回路との通電回路が形成される。
【００４２】
本実施形態では、昇降体１１の照明器具への電気供給を行う可動側接点１７と、機械的接続により昇降体１１を保持するソレノイド１８と、を一体に設けた。
これにより、それらを別々に設けた従来のものと比べて、部品点数が少なくなるとともに、高さ寸法を含めて全体の外形が小さくなる。
よって、部品点数の削減を図ってコスト面で有利にできるとともにコンパクト化を図ることができる。
【００４３】
本実施形態では、可動側接点１７をソレノイド１８の出力ロッド２９の先端部に配置することにより、ソレノイド１８が動作した後に、昇降体１１の照明器具への通電を開始するようにできる。
よって、昇降不良やロック不良の検知を容易に行うことができる。
【００４４】
本実施形態では、ソレノイド１８に設けた可動側接点１７を可動させることによって、従来のような昇降体の昇降と連動した接点部の接触方式に比べ、接点部を俊敏に動作させることができる。
よって、接点間でのアークの発生を抑制して接点消耗を少なくできるとともに、可動側接点１７の小型化を図ることができる。
【００４５】
本実施形態では、昇降体１１が最上昇位置Ａ１に到達して動作を完了したことをマイクロスイッチ２７にて検知することにより、昇降体１１の位置検出を簡単に確実に行える。
よって、ソレノイド１８の誤動作を防止して確実な作動を行うことができる。
【００４６】
（第２実施形態）
次に、本発明の第２実施形態に係る照明用昇降装置について説明する。なお、以下の第２実施形態において、上述した第１実施形態と重複する構成要素や機能的に同様な構成要素については、図中に同一符号あるいは相当符号を付することによって説明を簡略化あるいは省略する。
【００４７】
本発明の第２実施形態である照明用昇降装置４０は、電気供給を受けるための接点受部である一対の固定側接点４１と、昇降体１１との電気的接続を可能な接点部である一対の可動側接点４２と、可動側接点４２を一体に備え昇降体１１を機械的接続により保持するロック機構部である一対のモータ部４３と、を備える。
【００４８】
図７に示すように、モータ部４３は、モータ本体４４と可動接点部材４５とを有し、モータ本体４４を本体１２の下部中板２５の下面に固定している。
【００４９】
図８にも示すように、可動接点部材４５は、回動軸４６の中間部に扇形状の接点板４７を固定しており、接点板４７の外周側の先端部に可動側接点４２を一体に設けている。
【００５０】
回動軸４６は、下部中板２５に形成されている回動軸支持部４８により水平方向に回動自在に支持されている。回動軸４６の端部と、モータ本体４４との間には、例えば、一対のかさ歯車４９，５０からなる減速機構５１が配置されている。
【００５１】
減速機構５１は、回動軸４６から離れた下部中板２５の側板２３側に配置されている。減速機構５１は、一対のかさ歯車４９，５０に代えて、動力を直角方向に主力可能なローラやプーリー等を適用しても良い。
【００５２】
このような照明用昇降装置４０は、昇降体１１が最上昇位置Ａ１まで上昇すると、マイクロスイッチ２７がオン切換えされることにより、制御回路からリフトモータ１４への通電がカットオフされる。これにより、昇降体１１は、ワイヤー１３の巻き取り停止に伴い、最上昇位置Ａ１に停止する。
【００５３】
図９にも示すように、このとき、モータ本体４４は、マイクロスイッチ２７のオン切換えの論理に基づき制御回路より電流を供給される。これにより、可動接点部材４５が図９中の反時計回転方向に回動を始める。
【００５４】
図１０にも示すように、可動接点部材４５は、回動していく間に支持部材２０の一対の保持部２１に挿通される。
これにより、昇降体１１は、可動接点部材４５により、最上昇位置Ａ１に保持される。
【００５５】
そして、可動接点部材４５が図１０中の反時計回転方向にほぼ９０度回動したところで、可動側接点４２を固定側接点４１に接触させる。
これにより、昇降体１１の照明器具と制御回路との通電回路が形成される。
【００５６】
本実施形態では、減速機構５１を介したモータ本体４４により、可動側接点４２を有する可動接点部材４５を可動させる。
これにより、減速機構５１を介して離れた位置から可動接点部材４２を動作させることができる。
よって、比較的発熱の大きいモータ本体４４を離れた位置に配置することにより、他の部材への熱の影響を抑えることができる。
【００５７】
なお、前記各実施形態で使用した昇降体１１、本体１２は例示したものに限定するものではなく適宜変更が可能である。
【図面の簡単な説明】
【００５８】
【図１】本発明に係る第１実施形態の照明用昇降装置の外観斜視図
【図２】図１に示した照明用昇降装置のソレノイド周りの縦断面図
【図３】図１に示した照明用昇降装置の動作を説明する昇降体の上昇時の外観斜視図
【図４】図３の状態におけるソレノイド周りの縦断面図
【図５】図１に示した照明用昇降装置の動作を説明する昇降体の上昇後の外観斜視図
【図６】図５の状態におけるソレノイド周りの縦断面図。
【図７】本発明に係る第２実施形態の照明用昇降装置の外観斜視図
【図８】図７に示した照明用昇降装置のモータ部周りの縦断面図
【図９】図７に示した照明用昇降装置の動作を説明する昇降体の上昇時のモータ部周りの水平断面図
【図１０】図７に示した照明用昇降装置の動作を説明する昇降体の上昇後のモータ部周りの水平断面図
【符号の説明】
【００５９】
１０  照明用昇降装置
１１  昇降体
１２  本体
１３  ワイヤー
１６  固定側接点（接点受部）
１７  可動側接点（接点部）
１８  ソレノイド（ロック機構部）
２１  保持部
２７  マイクロスイッチ
４０  照明用昇降装置
４１  固定側接点（接点受部）
４２  可動側接点（接点部）
４３  モータ部（モータ）（ロック機構部）
【図１】
2010080077.tif 000003
【図２】
2010080077.tif 000004
【図３】
2010080077.tif 000005
【図４】
2010080077.tif 000006
【図５】
2010080077.tif 000007
【図６】
2010080077.tif 000008
【図７】
2010080077.tif 000009
【図８】
2010080077.tif 000010
【図９】
2010080077.tif 000011
【図１０】
2010080077.tif 000012